(57)【要約】【課題】中棒の強度を損なうことなく、傘の使用状態において揺らいだりすることなく傘を安定して開傘・閉傘する。【解決手段】固定部材１０は、下ろくろ２０が中棒１００に対して係止定位されるために中棒１００に設けられ、可動部材３０は、下ろくろ２０が固定部材１０に対して係止される状態になる第１の位置と該係止される状態が解除されて下ろくろ２０と共に上下摺動可能な状態になる第２の位置とに軸径方向沿いに移動するように押圧操作するように設けられている。弾性部材４０は、下ろくろ２０と可動部材３０との間にウェブ部３１ａを常に中棒１００側に押して固定部材１０の上端面１３に当接して第１の位置に定位させるように取り付けられている。【選択図】図１
2014133129.tif 000002
【特許請求の範囲】
【請求項１】
少なくともトップパイプと、軸径が前記トップパイプよりも大きいミドルパイプと、を含むそれぞれ軸径が異なる数本の軸パイプを入れ子式に上下伸縮可能に組み合わせてなった中棒を有する傘の前記中棒に設けられており、前記傘が開いている状態である開傘状態と閉じている状態である閉傘状態とに切替られるよう前記中棒の中心軸線に沿う方向である軸線方向に沿って前記中棒を上下摺動可能に取り付けられた下ろくろと、前記下ろくろが前記中棒に対して係止定位されるために前記中棒に設けられた固定部材と、前記下ろくろが前記固定部材に対して係止される状態になる第１の位置と該係止される状態が解除されて前記下ろくろと共に上下摺動可能な状態になる第２の位置とに前記中心軸線を横断する方向である軸径方向沿いに移動するように押圧操作される可動部材と、を備えてなるものであり、
前記下ろくろは、前記トップパイプとの間に隙間が形成されるように前記中棒に外嵌可能な軸径を有する内孔を画成した内周面と前記内周面と背中合わせの外周面とを有する中空状の軸管体であり、前記可動部材が前記軸径方向沿いに移動するように案内されるガイド溝と、前記内周面と前記外周面とを貫通して前記ガイド溝と連通する連通孔と、が設けられ、
前記固定部材は、前記ミドルパイプの上端に外嵌して取り付けられており、前記ミドルパイプの上端面に対応する上端面を前記下ろくろの移動を阻止する面として有する上部と、前記上部の反対側の下部と、前記上部と前記下部とを連結して形成された環状周壁と、からなり、
前記可動部材は、前記軸径方向沿いに滑り移動可能に前記下ろくろに取り付けられており、前記固定部材の上部の上端面に突き当たって係止定位されるウェブ部、及び前記ウェブ部の両端より前記軸径方向に突き出た２つのフランジ部により上面視で前記軸径方向沿いに開放された開口を有するＵ字形に形成された移動フレームと、前記連通孔を介して２つの前記フランジ部と連結されて取り付けられ、前記ウェブ部が前記軸径方向沿いに前記固定部材の前記上部の前記上端面と突き当たって係止定位される第１の位置から、該第１の位置から離れて前記ガイド溝に沿って前記可動部材が前記下ろくろと一体に移動できる第２の位置に滑り移動可能に押圧操作をするように構成された押圧プレートと、を有し、
前記下ろくろと前記可動部材との間には、前記ウェブ部を常に前記中棒側に押して前記固定部材の前記上端面に当接して前記第１の位置に定位させるための弾性部材が取り付けられていることを特徴とする折畳み傘の開閉装置。
【請求項２】
前記固定部材は、前記上部、前記下部及び前記環状周壁により前記ミドルパイプが挿入される中空部を画成してなり、前記上部より上向きにタブ状に突き出た突片が前記連通孔に対応すると共に前記下ろくろの前記内周面に突き当たって設けられていることを特徴とする請求項１に記載の折畳み傘の開閉装置。
【請求項３】
前記固定部材の上端面は、前記軸線方向に垂直に前記軸径方向に水平状に形成されていることを特徴とする請求項２に記載の折畳み傘の開閉装置。
【請求項４】
前記突片はその前記軸線方向沿いの幅が、前記連通孔の前記軸線方向沿いの径幅よりも大きいことを特徴とする請求項３に記載の折畳み傘の開閉装置。
【請求項５】
前記下ろくろの前記外周面には、前記押圧プレートが前記連通孔の外部に残されて収容可能に、前記連通孔を介して前記下ろくろの内部と連通すると共に前記連通孔よりも径大に形成された溝孔が前記軸径方向に窪んで形成されていることを特徴とする請求項４に記載の折畳み傘の開閉装置。
【請求項６】
前記弾性部材は、長手方向の互いに相反する２つの端部を有するように長手状に形成され、
前記下ろくろには、前記弾性部材の一端部が固定され、且つ前記ウェブ部が前記第１の位置から離れて前記第２の位置に滑り移動して収容される第１の受け孔が前記下ろくろの前記内周面より前記軸径方向に窪んで形成され、
前記ウェブ部には、前記弾性部材の他端部が固定され、前記弾性部材が収容される第２の受け孔が前記ウェブ部の外周面より窪んで形成されていることを特徴とする請求項５に記載の折畳み傘の開閉装置。
【請求項７】
前記中棒は更に、前記下ろくろが外嵌する、軸径が前記ミドルパイプよりも大きく前記ミドルパイプに外嵌するボトムパイプを有することを特徴とする請求項１に記載の折畳み傘の開閉装置。
【請求項８】
前記固定部材の前記環状周壁は、前記上部から前記下部に向って前記中棒側に傾斜するように形成された外環面を有することを特徴とする請求項１に記載の折畳み傘の開閉装置。
【請求項９】
前記ウェブ部の前記中棒側の内側には、前記軸線方向に沿って上から下につれて前記中棒側に傾斜して形成された第１の傾斜面部と、前記軸線方向に沿って下から上につれて前記中棒側に傾斜して形成された第２の傾斜面部と、が形成されていることを特徴とする請求項８に記載の折畳み傘の開閉装置。
【請求項１０】
前記固定部材の前記環状周壁は、前記下ろくろの前記内孔の前記内周面に対応する形状及びサイズを有することを特徴とする請求項１に記載の折畳み傘の開閉装置。
【発明の詳細な説明】
【技術分野】
【０００１】
本発明は、折畳み傘の開閉装置に関する。
【背景技術】
【０００２】
従来、傘は、所定の軸線方向に沿って入れ子式に上下伸縮可能になっている中棒の上端に上ろくろが固定され、中棒の上ろくろの下側に軸線方向沿いに上下摺動可能な下ろくろが設けられ、中棒の上ろくろ側に軸線方向沿いに延伸された溝孔が設けられ、溝孔には下ろくろの下向きの移動を防止する上はじきが溝孔に浮沈可能な弾性反発力を有するように設けられている。この傘を開傘する場合、指で下ろくろを掴んで中棒の軸線方向の上向きに沿って摺動させ、溝孔を越えると、上はじきが溝孔内に押されて後退した後、直ちに自身の弾性反発力によって弾き出て下ろくろの下向きの移動を阻止するように下ろくろを係止すると同時に、傘が開かれている状態に保持することができる。また、指で上はじきを溝孔内に押し込んで下ろくろを引っ張りながら軸線方向の下向きに移動させて傘を閉じることができる（例えば特許文献１参照）。
【先行技術文献】
【特許文献】
【０００３】
【特許文献１】台湾登録実用新案第４５００４１号明細書
【発明の概要】
【発明が解決しようとする課題】
【０００４】
上記傘では、上はじきは、下ろくろの下向きの移動を阻止可能な剛性を有する金属材料をプレス成形してなっているため、傘を開閉するとき、ユーザーの指が下ろくろと溝孔から弾き出た上はじきの間に挟まれて怪我をする恐れがある。そのために、下ろくろに、上はじきを指で上から押すことができるように軟質材料でなった隔離片を設けているが、隔離片は剛性を有する上はじきによって摩損するので、使用につれて損傷する問題点がある。また、中棒に溝孔を設けているので、中棒の強度に影響が及び、傘が開傘状態に保持されている際の安定性が落ちる問題点もある。また、中棒は管径が例えば下から上へと細くなる複数のパイプによって入れ子構造になっていることから、下ろくろが複数のパイプの最も下のものに合わせて嵌設されている。そのため、下ろくろは最も上の細いパイプとの間に大きい隙間を形成してしまうので、下ろくろが中棒に対してガタガタと振動し、傘の傘布、骨組みなどに悪影響を与えて開傘状態に保持することが出来なくなり、壊れ易い問題点もある。
【０００５】
本発明は、上記問題点に鑑みてなされたものであり、中棒の強度を損なうことなく、傘の使用状態において揺らいだりすることなく傘を安定して開傘・閉傘することができる折畳み傘の開閉装置を提供することを目的とする。
【課題を解決するための手段】
【０００６】
上記目的を達成するために、本発明に係る折畳み傘の開閉装置は、少なくともトップパイプと、軸径が前記トップパイプよりも大きいミドルパイプと、を含むそれぞれ軸径が異なる数本の軸パイプを入れ子式に上下伸縮可能に組み合わせてなった中棒を有する傘の前記中棒に設けられており、前記傘が開いている状態である開傘状態と閉じている状態である閉傘状態とに切替られるよう前記中棒の中心軸線に沿う方向である軸線方向に沿って前記中棒を上下摺動可能に取り付けられた下ろくろと、前記下ろくろが前記中棒に対して係止定位されるために前記中棒に設けられた固定部材と、前記下ろくろが前記固定部材に対して係止される状態になる第１の位置と該係止される状態が解除されて前記下ろくろと共に上下摺動可能な状態になる第２の位置とに前記中心軸線を横断する方向である軸径方向沿いに移動するように押圧操作される可動部材と、を備えてなるものである。前記下ろくろは、前記トップパイプとの間に隙間が形成されるように前記中棒に外嵌可能な軸径を有する内孔を画成した内周面と前記内周面と背中合わせの外周面とを有する中空状の軸管体であり、前記可動部材が前記軸径方向沿いに移動するように案内されるガイド溝と、前記内周面と前記外周面とを貫通してガイド溝と連通する連通孔と、が設けられ、前記固定部材は、前記ミドルパイプの上端に外嵌して取り付けられており、前記ミドルパイプの上端面に対応する上端面を前記下ろくろの移動を阻止する面として有する上部と、前記上部の反対側の下部と、前記上部と前記下部とを連結して形成された環状周壁と、からなり、前記可動部材は、前記軸径方向沿いに滑り移動可能に前記下ろくろに取り付けられており、前記固定部材の上部の上端面に突き当たって係止定位されるウェブ部、及び前記ウェブ部の両端より前記軸径方向に突き出た２つのフランジ部により上面視で前記軸径方向沿いに開放された開口を有するＵ字形に形成された移動フレームと、前記連通孔を介して２つの前記フランジ部と連結されて取り付けられ、前記ウェブ部が前記軸径方向沿いに前記固定部材の前記上部の前記上端面と突き当たって係止定位される第１の位置から、該第１の位置から離れて前記ガイド溝に沿って前記可動部材が前記下ろくろと一体に移動できる第２の位置に滑り移動可能に押圧操作をするように構成された押圧プレートと、を有し、前記下ろくろと前記可動部材との間には、前記ウェブ部を常に前記中棒側に押して前記固定部材の前記上端面に当接して前記第１の位置に定位させるための弾性部材が取り付けられていることを特徴とする。
【発明の効果】
【０００７】
以上のように構成された傘の開閉装置は、従来のように中棒に上はじきが浮沈して収容されるための溝孔を設けることがないため、中棒の強度を損なうことなく所定の剛性を保つことができ、使用の安全性を高めることができる。また、下ろくろと中棒との間には可動部材と下ろくろとに連結された弾性部材が設けられているので、下ろくろが中棒に対して上下摺動したりするときや、開傘状態、閉傘状態のときに、下ろくろと中棒との間に隙間があっても、弾性部材によってウェブ部を中棒側に常に押されるように付勢するので、安定して摺動することができ、開傘状態或いは閉傘状態を安定して保つことができる。
【図面の簡単な説明】
【０００８】
【図１】本発明に係る折畳み傘の開閉装置の一実施形態を示す分解斜視図である。
【図２】本発明に係る折畳み傘の開閉装置の一実施形態の一部を分解して示す斜視図である。
【図３】本発明に係る折畳み傘の開閉装置の一実施形態が中棒に取り付けられた場合の組立断面図である。
【図４】図３の拡大図である。
【図５】本発明に係る折畳み傘の開閉装置の使用状態を説明する図である。
【図６】本発明に係る折畳み傘の開閉装置の使用状態を説明する図である。
【発明を実施するための形態】
【０００９】
以下、本発明に係る折畳み傘の開閉装置の一実施形態について図面を参照して説明する。
【００１０】
（実施形態）
図１は、本発明に係る折畳み傘の開閉装置の一実施形態を示す分解斜視図、図２は本発明に係る折畳み傘の開閉装置の一実施形態の一部を分解して示す斜視図、図３は、本発明に係る折畳み傘の開閉装置の一実施形態が中棒に取り付けられた場合の組立断面図、図４は、図３の拡大図である。
【００１１】
図中、符号１００は、軸径がそれぞれ異なる数本の軸パイプ、例えばトップパイプ１１０、軸径がトップパイプ１１０よりも大きいミドルパイプ１２０、軸径がミドルパイプ１２０よりも大きいボトムパイプ１３０を入れ子式に上下伸縮可能に組み合わせてなった傘の中棒であり、符号１は、傘の開閉を行うために中棒１００に設けられた開閉装置であり、開閉装置１は、下ろくろ２０と、固定部材１０と、可動部材３０と、を備えている。
【００１２】
下ろくろ２０は、傘が開いている状態である開傘状態と傘が閉じている閉傘状態とに切替られるよう中棒１００の中心軸線Ｌに沿う方向である軸線方向に沿って中棒１００を上下摺動可能に中棒１００に外嵌されており、中心軸線Ｌを取り囲んで形成されて数本の軸パイプにおける軸径が最も小さいもの、例えばトップパイプ１１０との間に隙間が形成されるように、軸径が最も大きいもの、例えばボトムパイプ１３０に外嵌可能な軸径を有する内孔２１１を画成した内周面２１と内周面２１と背中合わせの外周面２２とを有する中空状の軸管体である。下ろくろ２０には、可動部材３０を中心軸線Ｌを横断する方向である軸径方向沿いに移動させるように案内するガイド溝２３と、軸径方向に沿って内周面２１と外周面２２とを貫通してガイド溝２３と連通する連通孔２４と、が設けられている。
【００１３】
固定部材１０は、下ろくろ２０を中棒１００に対して係脱可能に係止するよう下ろくろ２０との間に中棒１００の例えばミドルパイプ１２０の上端にミドルパイプ１２０を外嵌して取り付けられており、ミドルパイプ１２０の上端面に対応する上端面１３を下ろくろ２０の移動を阻止する面として有する上部１１と、上部１１の反対側の下部１２と、上部１１と下部１２とに連接して形成された環状周壁１４と、を有するブラケットフレームとして構成されている。また、固定部材１０は、上部１１、下部１２及び環状周壁１４によりミドルパイプ１２０が挿入される中空部が画成された内周面を有する。上部１１の軸径方向の一側より上向きにタブ状に突き出た突片１５が設けられ、環状周壁１４は、上部１１から下部１２に向かって径小に形成された外環面１４１を有する。
【００１４】
なお、固定部材１０は、中棒１００の材質に合わせて作られれば良く、例えば金属を用いて作られても良い。なお、固定部材１０はピン部材（図示せず）によって軸径方向沿いに環状周壁１４を貫通したピン孔に挿入されてミドルパイプ１２０の上端部に固定されている。なお、突片１５は、連通孔２４から外部に抜けられない大きさを有するものであり、例えば突片１５はその軸線方向沿いの幅が、連通孔２４の軸線方向沿いの径幅よりも大きいと良い。固定部材１０の環状周壁１４は、下ろくろ２０の内孔２１１の内周面に対応して形成された形状及びサイズを有し、固定部材１０の上記中空部を画成した内周面は、ミドルパイプ１２０の外周面に対応して形成された形状及びサイズを有する。上端面１３は、軸線方向に垂直に軸径方向に水平状に形成されている。
【００１５】
可動部材３０は、軸径方向沿いに滑り移動可能にその一部が下ろくろ２０の外側から押圧可能に、その他部が連通孔２４を介してガイド溝２３に沿って移動可能に下ろくろ２０に取り付けられており、下ろくろ２０の中棒１００に対する定位を保持・解除するよう固定部材１０に対して係脱可能に設けられている。可動部材３０は、この形態において、下ろくろ２０の中棒１００に対する定位が解除されたとき下ろくろ２０と一体に軸線方向に沿って摺動するように、下ろくろ２０と共に中棒１００を摺動可能に中棒１００の外形に対応して形成された形状を有するように設けられ、固定部材１０の上部１１の上端面１３に突き当たって定位されるウェブ部３１ａとウェブ部３１ａの両端より突き出た２つのフランジ部３１ｂ、３１ｂとにより上面視で中棒１００側に向かって開放された開口を有するＵ字形の枠に形成された移動フレーム３１と、連通孔２４に対応して２つのフランジ部３１ｂ、３１ｂを連結して設けられ、ウェブ部３１ａが軸径方向沿いに固定部材１０の上部１１の上端面１３と突き当たって係止定位される第１の位置から、該第１の位置から離れて下ろくろ２０と一体に移動できる第２の位置に滑り移動可能に押圧操作をするように構成された押圧プレート３２と、を有する。
【００１６】
また、下ろくろ２０と可動部材３０との間には、ウェブ部３１ａを常に中棒１００側に押して固定部材１０の上端面１３に当接して第１の位置に定位させるための弾性部材４０が取り付けられている。弾性部材４０は、長手方向の互いに相反する２つの端部を有するように長手状に形成されたものであり、下ろくろ２０には、弾性部材４０の一端部が固定され、且つウェブ部３１ａが第１の位置から離れて第２の位置に滑り移動して収容される第１の受け孔２６が内周面２１より軸径方向に窪んで形成され、ウェブ部３１ａには、弾性部材４０の他端部が固定され、弾性部材４０が収容される第２の受け孔３１２がウェブ部３１ａの外周面３１１より窪んで形成されている。
【００１７】
下ろくろ２０の外周面２２には、押圧プレート３２を連通孔２４の外部に残して収容可能に、連通孔２４を介して下ろくろ２０の内部と連通すると共に、連通孔２４よりも径大に形成された溝孔２５が軸径方向に窪んで形成されている。ガイド溝２３は、移動フレーム３１を滑り移動可能に案内するように連通孔２４を介して溝孔２５と連通して設けられている。押圧プレート３２を押圧操作すると、移動フレーム３１が連通孔２４を介してガイド溝２３に沿って第１の位置から第２の位置に滑り移動すると共に、押圧プレート３２が溝孔２５に収容される。
【００１８】
ウェブ部３１ａの中棒１００側の内側面３１３には、軸線方向に沿って上から下につれて中棒１００側に傾斜して形成された第１の傾斜面部３１４と、軸線方向に沿って下から上につれて中棒１００側に傾斜して形成された第２の傾斜面部３１５と、が形成されている。
【００１９】
次に、以上のように構成された本発明に係る傘の開閉装置の動作及び作用について図面を参照して説明する。
【００２０】
図４には、下ろくろ２０と可動部材３０とが弾性部材４０によって固定部材１０に対して係止定位された開傘時の状態を示す。図５に示されているように、傘が開傘状態において、押圧プレート３２が押圧操作によって押されると、押圧プレート３２が連通孔２４に近づいて溝孔２５に収容され、移動フレーム３１はガイド溝２３に沿ってウェブ部３１ａが固定部材１０の上端面１３に係止定位された第１の位置からウェブ部３１ａが第１の受け孔２６に収容されて下ろくろ２０と共に摺動可能な第２の位置に滑り移動される。そして、ウェブ部３１ａが上端面１３に係止定位された状態が第２の位置に移動されて解除された後も、押圧プレート３２が押され続けることで弾性部材４０が押されながらウェブ部３１ａが第１の受け孔２６に収容されたまま、可動部材３０が下ろくろ２０と共に下側に摺動されると、図６に示されているように固定部材１０から離れて閉傘する。可動部材３０が下ろくろ２０と共に下側に摺動されたとき、第２の傾斜面部３１５によって固定部材１０の上部に引っ掛って留まることなく滑り越えることができる。可動部材３０に対する押圧が解除されると、弾性部材４０の弾力でウェブ部３１ａが中棒１００側に押され、押圧プレート３２が連通孔２４から離れて溝孔２５から脱離する。中棒１００側に押されたウェブ部３１ａによって下ろくろ２０が中棒１００に対して係止定位されて閉傘状態を保つことができる。
【００２１】
その一方、傘が閉傘状態において、押圧プレート３２が押圧操作によって押されると、押圧プレート３２が再び連通孔２４に近づいて溝孔２５に収容され、移動フレーム３１はガイド溝２３に沿って案内されて、ウェブ部３１ａが上端面１３に係止定位された第１の位置からウェブ部３１ａが第１の受け孔２６に収容されて下ろくろ２０と共に摺動可能な第２の位置に滑り移動される。そして、押圧プレート３２を押しながら下ろくろ２０と共に上向きに摺動させ、第１の傾斜面部３１４によって外環面１４１を滑り越えながら、移動フレーム３１が上部１１の上側に移動される。押圧プレート３２への押圧が解除されると、弾性部材４０の弾力でウェブ部３１ａが中棒１００側に押され、押圧プレート３２が連通孔２４から離れて溝孔２５から脱離すると共に、ウェブ部３１ａが固定部材１０の上端面１３に当接係止される。これによって傘が図４に示されている開傘状態に定位される。
【００２２】
以上により、中棒１００に従来のように上はじきが浮沈して収容されるための溝孔を設けることがないため、中棒１００の強度は弱めることなく所定の剛性を保つことができ、使用の安全性を高めることができる。
【００２３】
また、固定部材１０の環状周壁１４は下ろくろ２０の内孔２１１の内周面の形に合わせて形成され、固定部材１０の内周面はミドルパイプ１２０の外周面の形に合わせて形成されているので、下ろくろ２０が固定部材１０に対して隙間が大きく生じることがなくなる。従って下ろくろ２０が固定部材１０に対してぐらつくことなく安定して定位されることができる。
【００２４】
また、突片１５は例えば開傘した状態で下ろくろ２０の内周面に対して当接するように設けられているので、開傘状態を安定して保つことができる。また、下ろくろ２０と中棒１００との間には可動部材３０と下ろくろ２０とに連結された弾性部材４０が設けられているので、下ろくろ２０が中棒１００に対して上下摺動したりするときや、開傘状態、閉傘状態のときに、下ろくろ２０と中棒１００との間に隙間があっても、弾性部材４０によってウェブ部３１ａを中棒１００側に常に押されるように付勢するので、安定して摺動することができ、開傘状態或いは閉傘状態を安定して保つことができる。
【００２５】
また、この形態において、たとえ固定部材１０が金属材料で作られ、可動部材３０が損耗し易い材料、例えばプラスチック材料で作られても、移動フレーム３１が固定部材１０に対して摺動可能に上端面１３に衝突することなく係止されることができるので、可動部材３０は長く使用できる。
【００２６】
なお、本発明は、前記実施形態の構成に限定されるものではない。即ち、前記実施形態は、あくまでも本発明の技術的内容を明らかにする意図のものにおいてなされたものであり、本発明はこの実施形態に限定して狭義に解釈されるものではなく、本発明の精神及びクレームに述べられた範囲で、いろいろと変更して実施できるものである。
【産業上の利用可能性】
【００２７】
本発明に係る傘の開閉装置は、折畳み傘の開閉装置として有用である。
【符号の説明】
【００２８】
１００  中棒                                        ２３  ガイド溝
１１０  トップパイプ                                ２４  連通孔
１２０  ミドルパイプ                                ２５  溝孔
１３０  ボトムパイプ                                ２６  第１の受け孔
１  開閉装置                                        ３０  可動部材
１０  固定部材                                      ３１  移動フレーム
１１  上部                                          ３１ａ  ウェブ部
１２  下部                                          ３１ｂ  フランジ部
１３  上端面                                        ３１１  外周面
１４  環状周壁                                      ３１２  第２の受け孔
１４１  外環面                                      ３１３  内側面
１５  突片                                          ３１４  第１の傾斜面部
２０  下ろくろ                                      ３１５  第２の傾斜面部
２１  内周面                                        ３２  押圧プレート
２１１  内孔                                        ４０  弾性部材
２２  外周面
【図１】
2014133129.tif 000003
【図２】
2014133129.tif 000004
【図３】
2014133129.tif 000005
【図４】
2014133129.tif 000006
【図５】
2014133129.tif 000007
【図６】
2014133129.tif 000008